(57)【要約】【課題】ノーズパッド取付け部の構造であって、顔にフィッティングさせる調整作業が簡単にできる構造を提供する。【解決手段】ノーズパッド１６、パッド箱１５及びパッド足１１を備えるノーズパッド取付け部１０の構造において、パッド足１１を線材で形成し、その全長を２０ｍｍ以上とする。また、パッド足１１を断面円形の線材で形成し、その直径を１．０〜１．５ｍｍとする。【選択図】図２
0003132375.tif 000002
【実用新案登録請求の範囲】
【請求項１】
ノーズパッド、パッド箱及びパッド足を備えるノーズパッド取付け部の構造であって、前記パッド足が線材で形成され、その全長が２０ｍｍ以上であることを特徴とするノーズパッド取付け部の構造。
【請求項２】
前記パッド足が断面円形の線材で形成され、その直径が１．０〜１．５ｍｍであることを特徴とする請求項１に記載のノーズパッド取付け部の構造。
【請求項３】
請求項１又は２に記載のノーズパッド取付け部の構造をフロント部に備えてなることを特徴とする眼鏡フレーム。
【考案の詳細な説明】
【技術分野】
【０００１】
本考案は、ノーズパッド取付け部の構造に関し、特に、ノーズパッドを鼻の形状に合わせることが容易で、ハイカーブレンズの眼鏡フレームでも顔にフィットさせることができるノーズパッド取付け部の構造、及び眼鏡フレームに関する。
【背景技術】
【０００２】
眼鏡フレームの一例として、環状の一対のリム、両リムの内縁部間を連結するブリッジ、及び両リムの外縁部に連結されるヨロイからなるフロント部と、フロント部の両ヨロイに蝶番を介して回動自在に連結されるテンプルと、両リムの内縁部に連結されるノーズパッド取付け部を備えたものが知られている（例えば特許文献１）。
【０００３】
このような構成の眼鏡フレームは、両リムの内側に視力矯正用、紫外線遮蔽用等のレンズを取付け、顔の前面に装着してノーズパッドを鼻の側面に当接させ、テンプルを耳に引っ掛けることにより、顔前面の所定の位置に保持することができ、両レンズを通して視力を矯正し、紫外線を遮蔽すること等ができるようになっている。
【０００４】
ノーズパッド取付け部は、パッド足の先端部にパッド箱を介してノーズパッドを可動自在に設けると共に、ノーズパッドの素材に柔らかいものを使用することにより、鼻の側面にノーズパッドの跡が付いたり、鼻に痛みを生じたりすることを防止している。
【０００５】
ところで、顔の大きさや形状は人によって千差万別であり、ノーズパッド取付け部は、各個人の顔や鼻に合わせて調整する必要がある。この調整作業は、パッド足を変形させて行われている。しかしながら、パッド足は、通常の使用において塑性変形することのないように硬く形成されているので、調整作業は困難であり、ハイカーブレンズ用の眼鏡フレームにおいては、特に調整作業が困難となることが多い。
【特許文献１】登録実用新案第３０３５２７９号公報
【考案の開示】
【考案が解決しようとする課題】
【０００６】
そこで、本考案の目的とするところは、ノーズパッド取付け部の構造であって、顔にフィッティングさせる調整作業を簡単に行うことが可能であり、ハイカーブレンズ用の眼鏡フレームにおいても、容易に調整できる構造を提供することにある。
【課題を解決するための手段】
【０００７】
上記の課題を解決するために、本考案の請求項１に係るノーズパッド取付け部の構造は、ノーズパッド、パッド箱及びパッド足を備えるノーズパッド取付け部の構造であって、前記パッド足が線材で形成され、その全長が２０ｍｍ以上である手段を採用している。また、本考案の請求項２に係るノーズパッド取付け部の構造は、請求項１に記載のノーズパッド取付け部の構造において、前記パッド足が断面円形の線材で形成され、その直径が１．０〜１．５ｍｍである手段を採用している。さらに、本考案の請求項３に係る眼鏡フレームは、請求項１又は２に記載のノーズパッド取付け部の構造をフロント部に備えてなる手段を採用している。
【考案の効果】
【０００８】
本考案におけるノーズパッドの取付け部の構造は、上記の手段を採用したことにより顔にフィッティングさせる調整作業を簡単に行うことが可能であり、ハイカーブレンズ用の眼鏡フレームにおいても、容易に調整できる構造を提供することができる。
【考案を実施するための最良の形態】
【０００９】
以下、図面に示す本考案の実施の形態について説明する。
図１〜図３には、本考案による一実施の形態が示されており、図１はパッド足の構造を示す概略図、図２はノーズパッド取付け部の構造を示す斜視図、図３は眼鏡フレームの全体を示す斜視図である。
【００１０】
本考案のノーズパッド取付け部１０の構造は、パッド足１１、パッド箱１５及びノーズパッド１６を備えるものであり、パッド足１１が線材で形成され、その全長が従来よりも長いことを特徴としている。ここでパッド足１１の全長とは、図１においてＡ点からＢ点までの長さをいう。パッド足１１の全長は、２０ｍｍ以上であることが好ましく、２５ｍｍ以上であることがより好ましい。
【００１１】
また、パッド足１１は、断面が円形の線材で形成されることが好ましく、その直径が１．０〜１．５ｍｍであることが好ましい。そして、Ｕ字状の曲がり部を１個以上備えることが好ましく、２個以上備えることが特に好ましい。図１に示すパッド足１１は、曲がり部を２個備えた場合を示している。
【００１２】
パッド足１１の全長を長くすることにより、また、線材の直径及び曲がり部を選定することにより、パッド足１１全体が大きな弾性を備えることになる。したがって、塑性変形を起こさない硬い材質とした場合でも、柔らかい素材を用いたノーズパッド１６と共に、鼻に対してソフトに当接することになり、鼻の側面にノーズパッド１６の跡が付いたり、鼻に痛みを生じたりすることを防止することができる。
【００１３】
また、ノーズパッド取付け部１０を各個人の顔や鼻に合わせて調整する場合においても、パッド足１１の全長を長くしたことにより変形自在となり、調整作業を容易に行うことができる。そして、ハイカーブレンズ用の眼鏡フレームにおいても、同様に容易な調整を行うことができる。
【００１４】
図３に示すように、本考案のノーズパッド取付け部１０の構造を備えた眼鏡フレーム１は、環状の一対のリム３、３、両リム３、３の内縁部間を連結するブリッジ４、及び両リム３、３の外縁部に連結されるヨロイ５、５からなるフロント部２と、フロント部２の両ヨロイ５、５に蝶番６、６を介して回動自在に連結されるテンプル７、７と、両リム３、３の内縁部に連結されるノーズパッド取付け部１０を備えることになる。
【００１５】
なお、本考案のノーズパッド取付け部１０は、フルリムタイプの眼鏡フレーム１に限らず、ハーフリムタイプの眼鏡フレーム、ツーポイントタイプの眼鏡フレーム等、各種の眼鏡フレームに適用できるものであり、その場合にも同様の効果を奏することができる。
【図面の簡単な説明】
【００１６】
【図１】本考案で用いるパッド足の構造の一例を示す概略図である。
【図２】本考案のノーズパッド取付け部の一例を示す斜視図である。
【図３】本考案の眼鏡フレームの一例を示す斜視図である。
【符号の説明】
【００１７】
１    眼鏡フレーム
２    フロント部
３    リム
４    ブリッジ
５    ヨロイ
６    蝶番
７    テンプル
１０  ノーズパッド取付け部
１１  パッド足
１５  パッド箱
１６  ノーズパッド
【図１】
0003132375.tif 000003
【図２】
0003132375.tif 000004
【図３】
0003132375.tif 000005